(57)【要約】【課題】水勾配に沿った方向に屋根面材を分割した場合でも、この分割位置にて雨水を水下側に円滑に流すことができる屋根を提供すること。【解決手段】屋根本体４を構成する屋根面状体１０の水上側屋根面状体１０Ａと水下側屋根面状体１０Ｂとの間に、中母屋１１位置で水下側に下がる段差が形成されているので、この段差によって水上側屋根面状体１０Ａ上の雨水が水下側屋根面状体１０Ｂ側に流れやすくできる。特に、水上側屋根面状体１０Ａにおける水上側パネル１４Ａの水下側端縁を係止する中母屋１１の係止片が板状に形成されているので、水上側パネル１４Ａから上方への突出寸法が最小化でき、水上側パネル１４Ａ上面に水が溜まることを防止することができる。従って、水上側屋根面状体１０Ａを流れる雨水等を水下側に円滑に流し、埃等がパネル１４に付着することを防止して屋根の美観が維持できる。【選択図】図３
2008297770.tif 000002
【特許請求の範囲】
【請求項１】
水上側に設置される水上側面材と、この水上側面材よりも水下側に設置される水下側面材と、前記水上側面材と前記水下側面材との間に設置されて水上側から水下側に向かう方向と交差して延びる交差支持部材とを少なくとも備えた屋根であって、
前記交差支持部材は、前記水上側面材の下側に位置する支持部材本体と、この支持部材本体の上面側に設けられて前記水上側面材の水下側端縁を支持する第１支持部と、前記支持部材本体の水下側に設けられて前記水下側面材の水上側端縁を支持する第２支持部とを有し、前記第２支持部が前記第１支持部よりも下方に形成されて前記水上側面材と前記水下側面材とが段差を有して設置されている屋根。
【請求項２】
前記第１支持部は、前記支持部材本体から上方に延びて前記水上側面材の下面に当接する第１当接部と、前記支持部材本体の水下側から前記水上側面材の水下側端縁に沿って上方に延びる立上片部と、この立上片部の上端縁から水上側に延びて前記水上側面材の上面に当接する第２当接部とを有して構成され、
前記第２当接部が前記水上側面材の上面に沿った板状に形成されている請求項１に記載の屋根。
【請求項３】
前記水上側面材における水上側から水下側に向かう方向に沿った側端縁は、当該水上側面材を上下から挟持する側方支持部材で支持されており、
前記交差支持部材の立上片部には、前記側方支持部材を水下側に貫通させる切欠きが形成されている請求項２に記載の屋根。
【請求項４】
前記側方支持部材の水下側端部は、前記交差支持部材の上面に止水部材を介して支持されている請求項３に記載の屋根。
【請求項５】
前記水上側面材は、水上側から水下側に向かう方向と交差して並べて設置される複数の水上側面材から構成され、これら複数の水上側面材同士の隣接する側端縁は、当該水上側面材を上下から挟持する中間支持部材で支持されており、
前記中間支持部材は、前記水上側面材の下面に当接する第１中間支持部材と、当該水上側面材の上面に当接する第２中間支持部材とを有して構成され、前記第１中間支持部材の水下側端部は、前記交差支持部材の支持部材本体上面に支持されるとともに、当該交差支持部材の立上片部よりも水上側に位置して設けられ、
前記立上片部には、水抜き孔が形成されている請求項２から請求項４のいずれかに記載の屋根。
【発明の詳細な説明】
【技術分野】
【０００１】
本発明は、屋根に関し、詳しくは、水上側面材と水下側面材との間に設置される交差支持部材を備えた屋根に関する。
【背景技術】
【０００２】
従来、屋外に設けられるカーポートやテラス、サンルーム、アプローチ等の屋外構造物に設置される屋根であって、複数に分割された屋根面材（屋根板）と、屋根面材の端縁を支持する垂木および押え材とを有する屋根構造が提案されている（例えば、特許文献１参照）。
特許文献１に記載された屋根構造では、水上側から水下側に向かって垂木が水勾配に応じた傾斜を有して設置され、この垂木の上側に屋根面材が支持されるとともに、屋根面材の上側から垂木に押え材が固定され、これらの垂木および押え材で屋根面材の側端縁を挟持することで屋根面材が支持されるようになっている。
【０００３】
【特許文献１】特開２００６−２４９６８１号公報
【発明の開示】
【発明が解決しようとする課題】
【０００４】
ところで、従来の屋根構造において、水勾配に沿った方向に屋根の長さ寸法を長く形成しようとすると、屋根面材自体の長さ寸法が制約を受けることから、その方向に関しても屋根面材を複数に分割した構造が採用される。このように水勾配に沿った方向に屋根面材を分割した構造では、その分割位置においても前記垂木および押え材と略同様の構成を有した支持部材が設置され、この支持部材と前記垂木および押え材とが交差して格子状となった内部に各屋根面材が支持されることとなる。
しかしながら、水勾配と交差する方向に延びる支持部材において、前記押え材と同様に屋根面材の上面から上方に突出した押え材を用いると、この押え材の水上側に屋根面材との段差が形成され、この段差部分に雨水や埃等が溜まりやすくなって、この埃等が屋根面材に付着して美観を損なうという問題がある。
【０００５】
本発明の目的は、水勾配に沿った方向に屋根面材を分割した場合でも、この分割位置にて雨水を水下側に円滑に流すことができる屋根を提供することにある。
【課題を解決するための手段】
【０００６】
本発明の屋根は、水上側に設置される水上側面材と、この水上側面材よりも水下側に設置される水下側面材と、前記水上側面材と前記水下側面材との間に設置されて水上側から水下側に向かう方向と交差して延びる交差支持部材とを少なくとも備えた屋根であって、前記交差支持部材は、前記水上側面材の下側に位置する支持部材本体と、この支持部材本体の上面側に設けられて前記水上側面材の水下側端縁を支持する第１支持部と、前記支持部材本体の水下側に設けられて前記水下側面材の水上側端縁を支持する第２支持部とを有し、前記第２支持部が前記第１支持部よりも下方に形成されて前記水上側面材と前記水下側面材とが段差を有して設置されていることを特徴とする。
【０００７】
以上の本発明によれば、交差支持部材において、水上側面材の水下側端縁を支持する第１支持部よりも下方に、水下側面材の水上側端縁を支持する第２支持部が形成され、水上側面材よりも水下側面材が下方に位置して水下側に下がった段差が設けられているので、水上側面材上面を流れた雨水等が水下側面材に落下して流れやすくなる。さらに、交差支持部材の支持部材本体が水上側面材の下側に位置する、すなわち、水上側面材が支持部材本体の上面を覆って水下側に延びて設置されるので、支持部材本体が水上側面材よりも上方に突出することがなく、雨水等が溜まることを防止することができる。従って、水上側面材上面を流れる雨水等を水下側に円滑に流すことができ、埃等が屋根面材に付着することを防止して屋根の美観が維持できる。
この際、本発明の屋根全体において、水上側面材と水下側面材とは、少なくとも一対で設けられていればよく、一の水上側面材のさらに水上側に他の水上側面材を設けてもよく、この場合には前記一の水上側面材を水下側面材とみなすことができ、逆に一の水下側面材のさらに水下側に他の水下側面材を設けた場合には前記一の水下側面材を水上側面材とみなすことができる。このように、屋根の水上側から水下側に向かう全長に関して、屋根面材を複数に分割したことで、個々の面材を作業者が扱いやすい大きさに設定することができ、例えば一人の作業者によって屋根の組立作業を実施することも可能になり、施工性を向上させることができる。
【０００８】
この際、本発明の屋根では、前記第１支持部は、前記支持部材本体から上方に延びて前記水上側面材の下面に当接する第１当接部と、前記支持部材本体の水下側から前記水上側面材の水下側端縁に沿って上方に延びる立上片部と、この立上片部の上端縁から水上側に延びて前記水上側面材の上面に当接する第２当接部とを有して構成され、前記第２当接部が前記水上側面材の上面に沿った板状に形成されていることが好ましい。
このような構成によれば、交差支持部材における第１当接部と第２当接部とで水上側面材を把持して支持することができ、従来の垂木および押え材のように別体の部材で上下から挟持しなくてもよいので、交差支持部材の構造を簡単化するとともに部品点数を削減することができる。さらに、第２当接部が水上側面材の上面に沿った板状に形成されているので、水上側面材上面から上方への第２当接部の突出寸法を小さくすることができ、第２当接部と水上側面材上面との段差寸法を最小限にして、この段差部分に雨水等が溜まりにくくすることができる。
【０００９】
さらに、本発明の屋根では、前記水上側面材における水上側から水下側に向かう方向に沿った側端縁は、当該水上側面材を上下から挟持する側方支持部材で支持されており、前記交差支持部材の立上片部には、前記側方支持部材を水下側に貫通させる切欠きが形成されていることが好ましい。
このような構成によれば、水勾配に沿って延びる側方支持部材と交差する交差支持部材の立上片部に切欠きを形成し、この切欠きに側方支持部材を貫通させることで、側方支持部材の水下側端部が交差支持部材の立上片部よりも水下側に延びて位置することとなる。従って、側方支持部材の上面や側面を伝わって流れる雨水等を立上片部よりも水下側、つまり水下側面材の上方位置まで誘導して落下させることができる。さらに、水上側面材の側端縁位置から側方支持部材の内部に雨水等が浸入したとしても、この雨水を側方支持部材の水下側端部から水下側面材の上方位置で落下させて排水することができる。
【００１０】
この際、本発明の屋根では、前記側方支持部材の水下側端部は、前記交差支持部材の上面に止水部材を介して支持されていることが好ましい。
このような構成によれば、側方支持部材と交差支持部材との間に止水部材が設けられているので、側方支持部材の下面を伝わって水上側への雨水等の逆流を防止することができる。
【００１１】
また、本発明の屋根では、前記水上側面材は、水上側から水下側に向かう方向と交差して並べて設置される複数の水上側面材から構成され、これら複数の水上側面材同士の隣接する側端縁は、当該水上側面材を上下から挟持する中間支持部材で支持されており、前記中間支持部材は、前記水上側面材の下面に当接する第１中間支持部材と、当該水上側面材の上面に当接する第２中間支持部材とを有して構成され、前記第１中間支持部材の水下側端部は、前記交差支持部材の支持部材本体上面に支持されるとともに、当該交差支持部材の立上片部よりも水上側に位置して設けられ、前記立上片部には、水抜き孔が形成されていることが好ましい。
このような構成によれば、水勾配に沿って延びる中間支持部材における第１中間支持部材の水下側端部を交差支持部材の立上片部よりも水上側に位置させ、立上片部に水抜き孔を形成したことで、中間支持部材の内部に雨水等が浸入したとしても、この水を第１中間支持部材に沿って水下側へ流すとともに、交差支持部材の支持部材本体上面を介して水抜き孔から排水することができる。そして、水抜き孔から排水された水を水下側面材に落下させて水下側へ流すことができ、交差支持部材位置における雨水の滞留を防止することができる。
【発明を実施するための最良の形態】
【００１２】
以下、本発明の実施形態を図面に基づいて説明する。
図１は、本発明の実施形態に係る屋根１を示す斜視図である。図２は、屋根１を示す側面図である。
図１および図２において、屋根１は、屋外に設けられるカーポートの空間上方を覆うものであって、地面から立設された２本の支柱２と、これらの支柱２の上端から略水平に延びる支持梁３と、これらの支持梁３の上側に固定される屋根本体４とを備えて構成されている。２本の支柱２のうち、車両が出入りする一方である前方側（図２の左側）の支柱２が他方である後方側（図２の右側）の支柱２よりも長く形成され、すなわち前方側の支持梁３が後方側の支持梁３よりも高い位置に設けられ、屋根本体４が前方から後方に向かって下がり勾配となる傾斜を有して設置されている。屋根本体４は、前方側の前枠５と、後方側の後枠６と、前枠５と後枠６とを連結する左右一対の側枠７と、前枠５と後枠６との間に架け渡される複数の主垂木８（後述する図３〜図６参照）と、前枠５、後枠６および側枠７を四周枠組みした内部かつ主垂木８の上側に支持された屋根面状体１０とを備えて構成されている。そして、屋根本体４における前方側（前枠５側）が水上側とされ、後方側（後枠６側）が水下側とされ、水下側の端部に位置する後枠６には、屋根面状体１０上に降った雨水等を集水して排水するための雨樋６Ａ（図３参照）が設けられている。
【００１３】
次に、図３〜図６に基づき、屋根本体４の構造について説明する。ここで、図３および図４は、それぞれ屋根本体４を示す縦断面図である。図５および図６は、それぞれ屋根本体４を簡略化して示す分解斜視図である。
屋根本体４において、前枠５、後枠６および側枠７は、それぞれ略同一高さ寸法を有したアルミ形材製の長尺部材であり、前枠５および側枠７は、中空断面を有して形成され、後枠６は、上方に開口した略コ字形断面を有して形成されている。そして、後枠６のコ字形溝部によって雨樋６Ａが構成されている。また、側枠７は、図４に示すように、上部の断面寸法が小さくかつ下部の断面寸法が大きな全体段付き角筒状断面に形成されており、その下部の幅広断面部分の上側に屋根面状体１０が支持されるようになっている。また、主垂木８は、アルミ形材製の長尺部材であり、前枠５、後枠６および側枠７と下端面が揃えられるとともに側枠７の幅広断面部分と上端面が揃えられた角筒状断面を有して形成され、この主垂木８の上側に屋根面状体１０が支持されるようになっている。
【００１４】
屋根面状体１０は、屋根本体４全体のうち、水上側の略半分の範囲に設置される水上側屋根面状体１０Ａと、水下側の略半分の範囲に設置される水下側屋根面状体１０Ｂと、水上側屋根面状体１０Ａと水下側屋根面状体１０Ｂとの間に設置され水上側から水下側に向かう方向と交差して延びる交差支持部材としての中母屋１１とを備えて構成されている。水上側屋根面状体１０Ａと水下側屋根面状体１０Ｂとは、水上側屋根面状体１０Ａよりも下方に水下側屋根面状体１０Ｂが位置するような段差を有して設置されている。すなわち、側枠７の幅広断面部分上面および主垂木８の上面には、一対の側枠７間に渡って水上側母屋１２が適宜な間隔で複数本架設されており、水上側屋根面状体１０Ａは、水上側母屋１２の上側に支持され、水下側屋根面状体１０Ｂは、側枠７の幅広断面部分および主垂木８の上面位置に支持されている。また、水下側屋根面状体１０Ｂの下側において、側枠７と主垂木８との間および主垂木８同士の間には、水下側母屋１３が適宜な間隔で複数本架設されている。これらの水上側母屋１２および水下側母屋１３は、それぞれ後述するパネル１４の下面に当接することで、パネル１４の撓みを防止できるようになっている。
【００１５】
水上側屋根面状体１０Ａおよび水下側屋根面状体１０Ｂは、ぞれぞれ複数（例えば、図１に示すように４枚）の屋根ふき材であるパネル１４（水上側面材としての水上側パネル１４Ａおよび水下側面材としての水下側パネル１４Ｂ）と、両端側のパネル１４の側端縁を挟持して支持する側方支持部材１５と、互いに隣接したパネル１４の側端縁を支持する中間支持部材１６とを有して構成されている。パネル１４は、透明または半透明の樹脂製板材であり、水上側から水下側に向かって長い長方形状に形成されている。なお、パネル１４は、樹脂製に限らず、アルミ等の金属製であってもよいし、アルミと樹脂との複合材であってもよく、また透明や半透明ではなく不透明な板材であってもよい。そして、図３に示すように、水上側屋根面状体１０Ａにおいて、水上側パネル１４Ａの水上側端縁は、前枠５のパネル保持部５Ａ，５Ｂに上下から把持されて支持され、水上側パネル１４Ａの水下側端縁は、中母屋１１の第１支持部１１Ａ（後述）に上下から把持されて支持されている。一方、水下側屋根面状体１０Ｂにおいて、水下側パネル１４Ｂの水上側端縁は、中母屋１１の第２支持部１１Ｂ（後述）に上下から把持されて支持され、水下側パネル１４Ｂの水下側端縁は、後枠６のパネル保持部６Ｂ，６Ｃに上下から把持されて支持されている。
【００１６】
また、図４に示すように、パネル１４の側端縁を支持する側方支持部材１５は、パネル１４の下面に止水材を介して当接する第１側方支持部材１５Ａ（垂木）と、パネル１４の上面に止水材を介して当接する第２側方支持部材１５Ｂ（屋根ふき材押え）とを有して構成され、第１側方支持部材１５Ａに第２側方支持部材１５Ｂがビス止め固定されることで、パネル１４を挟持して支持するようになっている。そして、水上側屋根面状体１０Ａにおいて、側方支持部材１５の第１側方支持部材１５Ａは、その水上側端部が前枠５に固定され、その中間位置が水上側母屋１２の上側に固定されるとともに、その水下側端部が中母屋１１に支持されており、第２側方支持部材１５Ｂは、その側端縁に取り付けられた止水材を側枠７の内側面上部の突起に当接させた状態で第１側方支持部材１５Ａに固定されている。また、水下側屋根面状体１０Ｂにおいて、側方支持部材１５の第１側方支持部材１５Ａは、側枠７の幅広断面部分上面に固定されており、第２側方支持部材１５Ｂは、その水上側端縁を中母屋１１のパッキン１７（後述）に当接させるとともに、その側端縁に取り付けた止水材を側枠７の内側面下部の突起に当接させた状態で第１側方支持部材１５Ａに固定されている。すなわち、側枠７上部の内側面には、上下２列の突起が形成されており、上側の突起が水上側屋根面状体１０Ａにおける第２側方支持部材１５Ｂの側方に位置し、下側の突起が水下側屋根面状体１０Ｂにおける第２側方支持部材１５Ｂの側方に位置するように設けられている。
【００１７】
一方、隣接したパネル１４の各側端縁を支持する中間支持部材１６は、パネル１４の下面に止水材を介して当接する第１中間支持部材１６Ａ（垂木）と、パネル１４の上面に止水材を介して当接する第２中間支持部材１６Ｂ（屋根ふき材押え）とを有して構成され、第１中間支持部材１６Ａに第２中間支持部材１６Ｂがビス止め固定されることで、両側のパネル１４を挟持して支持するようになっている。そして、水上側屋根面状体１０Ａにおいて、中間支持部材１６の第１中間支持部材１６Ａは、その水上側端部が前枠５に固定され、その中間位置が水上側母屋１２の上側に固定されるとともに、その水下側端部が中母屋１１に支持されている。また、水下側屋根面状体１０Ｂにおいて、中間支持部材１６の第１中間支持部材１６Ａは、主垂木８の上面に固定されており、第２側方支持部材１５Ｂは、その水上側端縁を中母屋１１の弾性シール材２５Ａ（後述）に当接させた状態で第１中間支持部材１６Ａに固定されている。
【００１８】
次に、図７〜図１０に基づいて、交差支持部材としての中母屋１１の構造と、中母屋１１によるパネル１４、側方支持部材１５および中間支持部材１６の支持構造について説明する。
図７(Ａ)，(Ｂ)は、それぞれ中母屋１１部分を拡大して示す縦断面図であり、図７(Ａ)は、側方支持部材１５位置での断面図、図７(Ｂ)は、中間支持部材１６位置での断面図である。図８は、中母屋１１をさらに拡大して示す縦断面図である。図９および図１０は、それぞれ中母屋１１の一部を拡大して示す斜視図であり、図９は、側方支持部材１５位置での斜視図、図１０は、中間支持部材１６位置での斜視図である。
【００１９】
中母屋１１は、アルミ形材製の一体部材であり、図８に示すように、水上側パネル１４Ａの下側に位置する中空状の支持部材本体２０を有して構成されている。そして、支持部材本体２０の上面には、水上側パネル１４Ａの下面に当接する止水材である弾性シール材２０Ａが取り付けられている。また、支持部材本体２０の上面かつ水上側（図８の左側）には、上方に突出して水上側パネル１４Ａの下面に当接する第１当接部としての当接片２１が形成されている。さらに、支持部材本体２０の水下側（図８の右側）には、水下側に延びる略フラットな延出片２２と、この延出片２２の先端から上方に延びて水上側パネル１４Ａの水下側端縁に沿って立ち上がる立上片部としての立上片２３と、この立上片２３の上端縁から水上側に折れ曲がって延び水上側パネル１４Ａの上面に当接する第２当接部としての係止片２４とが形成されている。これらの当接片２１、立上片２３および係止片２４により、水上側パネル１４Ａの水下側端縁を支持する第１支持部１１Ａが構成されている。そして、係止片２４は、その水上側の先端に向かって厚さ寸法が徐々に小さくなる板状に形成され、その下面が水上側パネル１４Ａの上面に密接して下方に付勢し、水上側パネル１４Ａの下面を立上片２３および弾性シール材２０Ａに押圧させた状態で、水上側パネル１４Ａ水下側端縁を係止できるようになっている。
【００２０】
また、中母屋１１における延出片２２の下面かつ水下側先端部には、止水材保持部２５が形成され、この止水材保持部２５には、止水材である弾性シール材２５Ａが取り付けられている。さらに、支持部材本体２０の下面かつ水下側には、弾性シール材２５Ａよりもさらに水下側に延びる第２延出片２６と、この第２延出片２６の水下側先端部に止水材保持部２７とが形成され、この止水材保持部２７には、止水材である弾性シール材２７Ａが取り付けられている。これらの弾性シール材２５Ａ，２７Ａは、それぞれ水下側パネル１４Ｂの上面および下面に当接し、水下側パネル１４Ｂを把持するように構成されている。すなわち、止水材保持部２５，２７および弾性シール材２５Ａ，２７Ａにより、前記第１支持部１１Ａよりも下方に形成されて水下側パネル１４Ｂの水上側端縁を支持する第２支持部１１Ｂが構成されている。また、支持部材本体２０の下面かつ水上側には、水上側に延びる固定片２８が形成され、この固定片２８と第２延出片２６とをビス止めすることで、中母屋１１が主垂木８の上面および側枠７の幅広断面部分上面に固定されるようになっている。
【００２１】
以上の中母屋１１における両側端部つまり側枠７の幅広断面部分上方かつ側方支持部材１５下方位置には、図７(Ａ)および図９に示すように、止水部材であるブロック状のパッキン１７が設けられている。このパッキン１７は、中母屋１１の延出片２２上面に設置され、側方支持部材１５の第１側方支持部材１５Ａ下面に密接するとともに、前記弾性シール材２０Ａの端部に連続することで、中母屋１１と側方支持部材１５との間をシールできるように構成されている。なお、側方支持部材１５位置において、前記当接片２１は切り欠かれ、弾性シール材２０Ａの端部は、側方支持部材１５により押しつぶされて第１側方支持部材１５Ａ下面に密接するようになっている。さらに、中母屋１１の両端部側面には、パッキン１７に連続するとともに、側枠７上部の内側面に当接する端部シール１８（図９参照）が、中母屋１１の端部側面略全体を覆って取り付けられている。また、中母屋１１における両側端部において、前記立上片２３および係止片２４は切り欠かれ、図９に示すように、側方支持部材１５を水下側に貫通させる切欠き２３Ａが形成されている。この切欠き２３Ａにおいて、立上片２３は、係止片２４よりも大きく切り欠かれ、立上片２３の端縁は側方支持部材１５と隙間を介して設けられ、一方、係止片２４の端縁は側方支持部材１５に略当接する位置まで延びて設けられている。
【００２２】
一方、図７(Ｂ)および図１０に示すように、中母屋１１による中間支持部材１６の支持位置において、第１中間支持部材１６Ａの水下側端部は、支持部材本体２０の上面にビス止め固定されて支持されるとともに、弾性シール材２０Ａよりも水下側かつ立上片２３よりも水上側に位置して設けられている。一方、第２中間支持部材１６Ｂの水下側端部は、中母屋１１の係止片２４上面に沿って立上片２３と略同一位置まで延びて設けられている。なお、中間支持部材１６位置において、前記当接片２１は切り欠かれ、弾性シール材２０Ａは、中間支持部材１６により押しつぶされて第１中間支持部材１６Ａ下面に密接するようになっている。また、立上片２３には、図７(Ｂ)、図８および図１０に示すように、当該立上片２３を切り欠いた水抜き孔２３Ｂが形成されており、この水抜き孔２３Ｂは、中間支持部材１６同士のスパン中間位置や、側方支持部材１５と中間支持部材１６とのスパン中間位置、あるいは第１中間支持部材１６Ａの水下側端部と対向する位置に設けられている。
【００２３】
以上のような屋根面状体１０における雨水の流れおよび止水構造について以下説明する。
水上側屋根面状体１０Ａにおいて、水上側パネル１４Ａの上面の雨水は、水下側に流れて中母屋１１の係止片２４を乗り越え、水下側パネル１４Ｂの上面に落下した後に、前記雨樋６Ａに流れ落ちて排水される。また、水上側パネル１４Ａの上面の雨水が、第２側方支持部材１５Ｂとの間から側方支持部材１５内部に浸入したとしても、この雨水は、第１側方支持部材１５Ａ上を流れて、図９に示すように開放された側方支持部材１５の水下側先端から落下し、水下側屋根面状体１０Ｂ側の側方支持部材１５上面および水下側パネル１４Ｂの上面に排水される。一方、水上側パネル１４Ａの上面の雨水が、第２中間支持部材１６Ｂとの間から中間支持部材１６内部に浸入したとしても、この雨水は、第１中間支持部材１６Ａ上を流れて、図８に示すように中母屋１１の延出片２２に落下し、水抜き孔２３Ｂから水下側屋根面状体１０Ｂ側の中間支持部材１６上面および水下側パネル１４Ｂの上面に排水される。また、中母屋１１の延出片２２に落下した雨水が水抜き孔２３Ｂから排水されずに、中母屋１１に沿って側方に流れたとしても、この雨水は、中母屋１１の両側端部に設けた切欠き２３Ａから排水される。そして、中母屋１１の延出片２２を流れた雨水は、パッキン１７に阻止されて側枠７側に浸入することが防止され、また弾性シール材２０Ａに阻止されて水上側パネル１４Ａの下面を水上側に逆流することが防止されるようになっている。
【００２４】
さらに、水下側屋根面状体１０Ｂにおいても水上側屋根面状体１０Ａと略同様に、側方支持部材１５および中間支持部材１６の内部に浸入した雨水は、それぞれ第１側方支持部材１５Ａ上および第１中間支持部材１６Ａ上を流れて雨樋６Ａに排水されるようになっている。また、水下側パネル１４Ｂ上面の雨水が風などにより水上側に流れたとしても、この雨水は、中母屋１１の弾性シール材２５Ａに阻止されて中母屋１１内部（第２延出片２６上面側）への逆流が防止されるようになっている。さらに、中母屋１１の第２延出片２６上面に雨水が浸入したとしても、この雨水は、端部シール１８に阻止されて側枠７側に浸入することが防止されるようになっている。
【００２５】
このような本実施形態によれば、以下のような効果がある。
（１）すなわち、屋根本体４を構成する屋根面状体１０の水上側屋根面状体１０Ａと水下側屋根面状体１０Ｂとの間に、中母屋１１位置で水下側に下がる段差が形成されているので、この段差によって水上側屋根面状体１０Ａ上の雨水が水下側屋根面状体１０Ｂ側に流れやすくできる。特に、水上側屋根面状体１０Ａにおける水上側パネル１４Ａの水下側端縁が中母屋１１の係止片２４で係止され、この係止片２４が板状に形成されているので、水上側パネル１４Ａから上方への突出寸法が最小化でき、水上側パネル１４Ａ上面に水が溜まることを防止することができる。従って、水上側屋根面状体１０Ａを流れる雨水等を水下側に円滑に流すことができ、埃等がパネル１４に付着することを防止して屋根１の美観が維持できる。
【００２６】
（２）さらに、カーポート等の奥行き寸法（前枠５から後枠６へ至る長さ寸法）が大きい屋根１において、屋根面状体１０を水上側屋根面状体１０Ａと水下側屋根面状体１０Ｂとに分割したことで、これらを構成するパネル１４や側方支持部材１５、中間支持部材１６等の各部材の長さ寸法を小さくすることができる。従って、各部材を作業者が扱いやすくなり、例えば一人の作業者によって屋根１の組立作業を実施することも可能になり、施工性を向上させることができる。
【００２７】
（３）また、中母屋１１における両端部の立上片２３および係止片２４が切り欠かれ、この切欠き２３Ａを貫通して側方支持部材１５が水下側に突出して設けられるので、側方支持部材１５内部に浸入した雨水を水下側屋根面状体１０Ｂ側に落下させて排水することができる。また、側方支持部材１５と中母屋１１の延出片２２とがパッキン１７を介して接続されているので、延出片２２上の雨水が水上側や側枠７側へ逆流することが防止できる。
【００２８】
（４）また、水上側屋根面状体１０Ａにおける中間支持部材１６の第１中間支持部材１６Ａが、中母屋１１の立上片２３よりも水上側に位置し、これに対応した立上片２３に水抜き孔２３Ｂが形成されているので、中間支持部材１６内部に浸入した雨水を水抜き孔２３Ｂを介して水下側屋根面状体１０Ｂ側に落下させて排水することができる。
【００２９】
なお、本発明は、前記実施形態に限定されるものではなく、本発明の目的が達成できる他の構成等を含み、以下に示すような変形等も本発明に含まれる。
例えば、前記実施形態においては、カーポート等に設置される屋根１について説明したが、本発明の屋根としては、カーポート等に限らず、任意の場所に設置されるものでよく、また支柱２や支持梁３に支持されたものに限らず、建物の外壁面等から片持ち状に突出した庇等に用いられる屋根であってもよく、さらには適宜な支持材によって吊り下げ支持された屋根であってもよい。
また、前記実施形態では、屋根面状体１０が水上側屋根面状体１０Ａと水下側屋根面状体１０Ｂとで構成され、一段の段差が設けられていたが、これに限らず、２段以上の複数の段差が設けられていてもよい。
【００３０】
さらに、前記実施形態では、水上側屋根面状体１０Ａおよび水下側屋根面状体１０Ｂが、それぞれ複数のパネル１４、側方支持部材１５および中間支持部材１６を有して構成されていたが、側方支持部材１５や中間支持部材１６は、必須ではなく適宜省略されてもよい。すなわち、水上側屋根面状体１０Ａおよび水下側屋根面状体１０Ｂを、それぞれ単一のパネル１４で構成してもよく、この場合には、中間支持部材１６が省略可能であり、またパネル１４の側端縁を側枠７で直接支持するようにすれば、側方支持部材１５が省略可能である。
また、前記実施形態では、水上側屋根面状体１０Ａの下側に水上側母屋１２を設置し、この水上側母屋１２に水上側屋根面状体１０Ａが支持される構成を採用したが、水上側屋根面状体１０Ａの支持構造としては、水上側母屋１２を用いたものに限らず、任意の支持構造が利用できる。
【００３１】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３２】
【図１】本発明の実施形態に係る屋根を示す斜視図である。
【図２】前記屋根を示す側面図である。
【図３】前記屋根の屋根本体を示す縦断面図である。
【図４】前記屋根本体を示す図３と交差した方向の縦断面図である。
【図５】前記屋根本体を簡略化して示す分解斜視図である。
【図６】前記屋根本体を簡略化して示す分解斜視図である。
【図７】(Ａ)，(Ｂ)は、屋根本体の要部を示す縦断面図である。
【図８】前記屋根本体における交差支持部材を示す縦断面図である。
【図９】前記交差支持部材の一部を拡大して示す斜視図である。
【図１０】前記交差支持部材の一部を拡大して示す斜視図である。
【符号の説明】
【００３３】
１…屋根、１０…屋根面状体、１０Ａ…水上側屋根面状体、１０Ｂ…水下側屋根面状体、１１…中母屋（交差支持部材）、１１Ａ…第１支持部、１１Ｂ…第２支持部、１４…パネル（面材）、１４Ａ…水上側パネル（水上側面材）、１４Ｂ…水下側パネル（水下側面材）、１５…側方支持部材、１５Ａ…第１側方支持部材、１５Ｂ…第２側方支持部材、１６…中間支持部材、１６Ａ…第１中間支持部材、１６Ｂ…第２中間支持部材、１７…パッキン（止水部材）、２０…支持部材本体、２１…当接片（第１当接部）、２３…立上片（立上片部）、２３Ａ…切欠き、２３Ｂ…水抜き孔、２４…係止片（第２当接部）。
【図１】
2008297770.tif 000003
【図２】
2008297770.tif 000004
【図３】
2008297770.tif 000005
【図４】
2008297770.tif 000006
【図５】
2008297770.tif 000007
【図６】
2008297770.tif 000008
【図７】
2008297770.tif 000009
【図８】
2008297770.tif 000010
【図９】
2008297770.tif 000011
【図１０】
2008297770.tif 000012